(57)【要約】【課題】簡易な構成を用いつつも止水を適切に行わせる。【解決手段】建物外壁の止水構造は、壁材２５から下方に垂れ下がって設けられる壁下シート３３と、縦フレーム部２６ａに沿って設けられる止水部材３１と、縦目地２８の下方において隣り合う壁材２５の各壁下シート３３に跨がるようにして屋外側から貼り付けられる防水テープ３７と、壁下シート３３を挟んで防水テープ３７の反対側に貼り付けられる裏当て部材３６と、を備えている。裏当て部材３６は、伸縮変形可能な粘着テープ３８と、その粘着テープ３８に対して部分的に貼り付けられ、粘着テープ３８を所定形状に保持する保持プレート３９とを有している。そして、粘着テープ３８の上部に、保持プレート３９が貼り付けられていない余剰部が設けられ、壁下シート３３に対する貼り付け状態で、粘着テープ３８が止水部材３１の下端に押し当てられることで余剰部にシート圧縮部が形成されている。【選択図】      図３
2018003400.tif 000002
【特許請求の範囲】
【請求項１】
壁材と下地フレームとを有する複数の外壁パネルを横並びに固定して構成され、隣り合う前記外壁パネルが、前記下地フレームの縦フレーム部どうしが連結されることで結合される建物外壁部に適用される建物外壁の止水構造であって、
上部が前記壁材と前記下地フレームとの間に固定されるとともに、下部が前記壁材の下方に垂れ下がって設けられる壁下シートと、
前記縦フレーム部に沿って設けられ、フレーム連結部分を止水する止水部材と、
前記壁材の間に形成される目地の下方において隣り合う前記壁材の前記各壁下シートに跨がるようにして屋外側から貼り付けられる止水シートと、
前記壁下シートを挟んで前記止水シートの反対側に貼り付けられる裏当て部材と、
を備え、
前記裏当て部材は、伸縮変形可能なシート部と、そのシート部に対して部分的に貼り付けられ、前記シート部を所定形状に保持するプレート部とを有し、
前記シート部の上部に、前記プレート部が貼り付けられていない余剰部が設けられ、前記壁下シートに対する貼り付け状態で、前記シート部が前記止水部材の下端に押し当てられることで前記余剰部にシート圧縮部が形成されていることを特徴とする建物外壁の止水構造。
【請求項２】
前記プレート部は、上部に凹状に切り欠かれた凹状部を有し、
前記シート部の前記余剰部は、前記凹状部の内側を含む範囲で設けられており、
前記裏当て部材は、前記凹状部の位置が前記隣り合う前記外壁パネルの境界線に合うようにして取り付けられていることを特徴とする請求項１に記載の建物外壁の止水構造。
【請求項３】
前記シート部の前記余剰部は、前記凹状部の内側の部分である第１余剰部と、前記プレート部の上端よりも上方の部分である第２余剰部とを含み、
前記壁下シートに対する前記裏当て部材の貼り付け状態で、前記第１余剰部及び前記第２余剰部において前記シート部が圧縮された状態となっていることを特徴とする請求項２に記載の建物外壁の止水構造。
【請求項４】
前記止水部材は、前記縦フレーム部の屋外側において前記壁材よりも下方に延びており、
前記壁材よりも下方位置に、前記止水部材の下端に対する前記シート部の押し当てにより前記シート圧縮部が形成されていることを特徴とする請求項１乃至３のいずれか１項に記載の建物外壁の止水構造。
【請求項５】
壁材と下地フレームとを有する複数の外壁パネルを横並びに固定して構成され、隣り合う前記外壁パネルが、前記下地フレームの縦フレーム部どうしが連結されることで結合される建物外壁部に適用される建物外壁の止水処理方法であって、
前記外壁パネルは、上部が前記壁材と前記下地フレームとの間に固定されるとともに、下部が前記壁材の下方に垂れ下がって設けられる壁下シートと、前記縦フレーム部に沿って設けられ、フレーム連結部分を止水する止水部材とを備えており、
伸縮変形可能なシート部と、そのシート部に対して部分的に貼り付けられ、シート部を所定形状に保持するプレート部とを有する裏当て部材を用い、前記壁材の間に形成される目地の下方において隣り合う前記壁材の前記各壁下シートに跨がる位置で、前記シート部を前記止水部材の下端に押し当てて、前記シート部の上部において前記プレート部が貼り付けられていない余剰部にシート圧縮部を形成しつつ、当該裏当て部材を貼り付ける裏当て処理と、
前記壁下シートに屋外側から止水シートを貼り付けるシート貼付処理と、
を備えることを特徴とする建物外壁の止水処理方法。
【請求項６】
前記プレート部は、上部に凹状に切り欠かれた凹状部を有し、
前記シート部の前記余剰部は、前記凹状部の内側を含む範囲で設けられており、
前記裏当て処理では、前記凹状部の位置が前記隣り合う前記外壁パネルの境界線に合うようにして、前記裏当て部材を貼り付けることを特徴とする請求項５に記載の建物外壁の止水処理方法。
【発明の詳細な説明】
【技術分野】
【０００１】
本発明は、建物外壁の止水構造、及び止水処理方法に関する。
【背景技術】
【０００２】
住宅等の建物では、複数の外壁パネルが横並びに設けられることにより外壁が構成されている場合がある。この種の外壁パネルは、壁材と、壁材の屋内側に設けられた下地フレームとを有して構成されている。この場合、隣り合う外壁パネルの間には上下に延びる目地（縦目地）が形成される。目地には、当該目地を通じて屋内側に雨水等の水が浸入するのを阻止するために、ガスケットやシーリング材等の止水シールが設けられている。
【０００３】
外壁目地の止水構造として、例えば特許文献１には、縦目地に挿入される長尺状の平面視略Ｕ字形の凹部と、その凹部の両側縁に延設されるフランジ部とが形成された縦目地止水部と、縦目地止水部の下端において横方向に延設されるエプロン部と、縦目地止水部の底面を塞ぐ底面部とを備える構成が開示されている。
【先行技術文献】
【特許文献】
【０００４】
【特許文献１】特許第５３５８２６４号公報
【発明の概要】
【発明が解決しようとする課題】
【０００５】
しかしながら、上記特許文献１の技術を含め既存の技術では、外壁目地における止水性能を高めるべく複雑な構成を必須とするものとなっており、コストや作業性等を考えると、その改善の余地があると考えられる。
【０００６】
本発明は、上記事情に鑑みてなされたものであり、簡易な構成を用いつつも止水を適切に行わせることができる建物外壁の止水構造、及び止水処理方法を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００８】
第１の発明は、
壁材（２５）と下地フレーム（２６）とを有する複数の外壁パネル（２４）を横並びに固定して構成され、隣り合う前記外壁パネルが、前記下地フレームの縦フレーム部（２６ａ）どうしが連結されることで結合される建物外壁部（２０）に適用される建物外壁の止水構造であって、
上部が前記壁材と前記下地フレームとの間に固定されるとともに、下部が前記壁材の下方に垂れ下がって設けられる壁下シート（３３）と、
前記縦フレーム部に沿って設けられ、フレーム連結部分を止水する止水部材（３１）と、
前記壁材の間に形成される目地（２８）の下方において隣り合う前記壁材の前記各壁下シートに跨がるようにして屋外側から貼り付けられる止水シート（３７）と、
前記壁下シートを挟んで前記止水シートの反対側に貼り付けられる裏当て部材（３６）と、
を備え、
前記裏当て部材は、伸縮変形可能なシート部（３８）と、そのシート部に対して部分的に貼り付けられ、前記シート部を所定形状に保持するプレート部（３９）とを有し、
前記シート部の上部に、前記プレート部が貼り付けられていない余剰部（Ｙ１，Ｙ２）が設けられ、前記壁下シートに対する貼り付け状態で、前記シート部が前記止水部材の下端に押し当てられることで前記余剰部にシート圧縮部（Ｚ）が形成されていることを特徴とする。
【０００９】
上記の止水構造では、壁下シートを挟んで一方の側（屋外側）には、隣り合う壁材の各壁下シートに跨がるようにして止水シートが貼り付けられ、他方の側（屋内側）には、裏当て部材が貼り付けられている。また特に、裏当て部材は、伸縮変形可能なシート部と、そのシート部に対して部分的に貼り付けられ、シート部を所定形状に保持するプレート部とを有しており、シート部が止水部材の下端に押し当てられることで、シート部の余剰部にシート圧縮部が形成される構成となっている。かかる場合、隣り合う各外壁パネルにおいては壁下シートの間の隙間が生じ、その隙間により止水性能の低下が懸念されるが、伸縮変形可能なシート部を止水部材の下端に押し当ててシート圧縮部を形成することにより、当該隙間における止水性能を高めることができる。つまり、シート圧縮部によりピンホール等の隙間を好適に埋めることができる。その結果、簡易な構成を用いつつも止水を適切に行わせることができる。
【００１０】
第２の発明は、前記プレート部は、上部に凹状に切り欠かれた凹状部（３９ａ）を有し、前記シート部の前記余剰部は、前記凹状部の内側を含む範囲で設けられており、前記裏当て部材は、前記凹状部の位置が前記隣り合う前記外壁パネルの境界線に合うようにして取り付けられていることを特徴とする。
【００１１】
プレート部に凹状部を設け、その凹状部の内側を含む範囲をシート部の余剰部とするとともに、裏当て部材を、凹状部の位置が隣り合う外壁パネルの境界線に合うようにして取り付ける構成としたため、凹状部を設けずに単に下から上に押し当てる場合に比べて、壁下シート間の隙間に対してシート部の余剰部をより一層集約的に配置させることができる。これにより、止水性能の一層の向上を図ることができる。
【００１２】
第３の発明は、前記シート部の前記余剰部は、前記凹状部の内側の部分である第１余剰部（Ｙ１）と、前記プレート部の上端よりも上方の部分である第２余剰部（Ｙ２）とを含み、前記壁下シートに対する前記裏当て部材の貼り付け状態で、前記第１余剰部及び前記第２余剰部において前記シート部が圧縮された状態となっていることを特徴とする。
【００１３】
シート部の余剰部を、凹状部の内側の部分である第１余剰部と、プレート部の上端よりも上方の部分である第２余剰部として設け、第１余剰部及び第２余剰部においてシート部を圧縮状態としたため、止水部材の下端に沿う方向においても圧縮状態でシート部を配置できる。これにより、止水部材の下端に沿う水の伝達ラインを好適に遮断できる。
【００１４】
第４の発明は、前記止水部材は、前記縦フレーム部の屋外側において前記壁材よりも下方に延びており、前記壁材よりも下方位置に、前記止水部材の下端に対する前記シート部の押し当てにより前記シート圧縮部が形成されていることを特徴とする。
【００１５】
止水部材が、縦フレーム部の屋外側において壁材よりも下方に延びている構成において、壁材よりも下方位置に、止水部材の下端に対するシート部の押し当てによりシート圧縮部を形成する構成にしたため、壁下シート間の隙間を壁材よりも下方位置に限定させた上で、その隙間をシート圧縮部により埋めることができる。これにより、止水性能の向上を図ることができる。
【００１６】
第５の発明は、
壁材（２５）と下地フレーム（２６）とを有する複数の外壁パネル（２４）を横並びに固定して構成され、隣り合う前記外壁パネルが、前記下地フレームの縦フレーム部（２６ａ）どうしが連結されることで結合される建物外壁部（２０）に適用される建物外壁の止水処理方法であって、
前記外壁パネルは、上部が前記壁材と前記下地フレームとの間に固定されるとともに、下部が前記壁材の下方に垂れ下がって設けられる壁下シート（３３）と、前記縦フレーム部に沿って設けられ、フレーム連結部分を止水する止水部材（３１）とを備えており、
伸縮変形可能なシート部（３８）と、そのシート部に対して部分的に貼り付けられ、シート部を所定形状に保持するプレート部（３９）とを有する裏当て部材（３６）を用い、前記壁材の間に形成される目地（２８）の下方において隣り合う前記壁材の前記各壁下シートに跨がる位置で、前記シート部を前記止水部材の下端に押し当てて、前記シート部の上部において前記プレート部が貼り付けられていない余剰部（Ｙ１，Ｙ２）にシート圧縮部（Ｚ）を形成しつつ、当該裏当て部材を貼り付ける裏当て処理と、
前記壁下シートに屋外側から止水シート（３７）を貼り付けるシート貼付処理と、
を備えることを特徴とする。
【００１７】
上記の止水処理方法によれば、壁下シートを挟んで一方の側（屋外側）には、隣り合う壁材の各壁下シートに跨がるようにして止水シートが貼り付けられ、他方の側（屋内側）には、裏当て部材が貼り付けられている。また特に、裏当て部材は、伸縮変形可能なシート部と、そのシート部に対して部分的に貼り付けられ、シート部を所定形状に保持するプレート部とを有しており、シート部が止水部材の下端に押し当てられることで、シート部の余剰部にシート圧縮部が形成されるようになっている。かかる場合、隣り合う各外壁パネルの間には壁下シートの間の隙間が生じ、その隙間により止水性能の低下が懸念されるが、伸縮変形可能なシート部を止水部材の下端に押し当ててシート圧縮部を形成することにより、当該隙間における止水性能を高めることができる。つまり、シート圧縮部によりピンホール等の隙間を好適に埋めることができる。その結果、簡易な手法を用いつつも止水を適切に行わせることができる。
【００１８】
第６の発明は、前記プレート部は、上部に凹状に切り欠かれた凹状部（３９ａ）を有し、前記シート部の前記余剰部は、前記凹状部の内側を含む範囲で設けられており、前記裏当て処理では、前記凹状部の位置が前記隣り合う前記外壁パネルの境界線に合うようにして、前記裏当て部材を貼り付けることを特徴とする。
【００１９】
プレート部に凹状部を設け、その凹状部の内側を含む範囲をシート部の余剰部とするとともに、裏当て部材を、凹状部の位置が隣り合う外壁パネルの境界線に合うようにして取り付ける構成としたため、単に下から上に押し当てる場合に比べて、壁下シート間の隙間に対してシート部の余剰部をより一層集約的に配置させることができる。これにより、止水性能の一層の向上を図ることができる。
【図面の簡単な説明】
【００２０】
【図１】ユニット式建物の概要を示す斜視図。
【図２】ユニット式建物の概要を示す斜視図。
【図３】（ａ）は、屋根外壁部の下端部における止水構造を示す正面図、（ｂ）は、目地部分の縦断面図。
【図４】止水構造を構成する各部材を分解して示す分解斜視図。
【図５】外壁パネルの詳細な構成を示す分解斜視図。
【図６】（ａ）は裏当て部材を接着面の逆側から見た斜視図、（ｂ）は裏当て部材を接着面の側から見た斜視図。
【図７】止水構造の製造手順を示す説明図。
【図８】図７（ａ）に対応する止水構造の正面図。
【図９】図７（ｂ）に対応する止水構造の正面図。
【図１０】壁下シートへの取り付け後における裏当て部材の状態を示す斜視図。
【図１１】裏当て部材の別例を示す斜視図。
【発明を実施するための形態】
【００２１】
以下に、本発明を具体化した一実施の形態について図面を参照しつつ説明する。本実施形態では、建物として、複数の建物ユニットが互いに組み合わされてなるユニット式建物を具体化している。図１は、そのユニット式建物の概要を示す斜視図である。
【００２２】
図１に示すように、建物１０は、一階部分１１及び二階部分１２を有する建物本体１３と、その建物本体１３の上方に設けられた屋根部１４とを備えている。建物本体１３は、複数の建物ユニット１５が互いに連結されることにより構成されている。屋根部１４は、例えば切り妻式の屋根として構成されている。建物１０の施工に際しては、建物ユニット１５が製造工場においてあらかじめ製造され、その後施工現場にトラック等により搬送される。そして、施工現場において複数の建物ユニット１５が組み付けられるとともに、その上に屋根部１４が施工されることにより建物１０が構築される。
【００２３】
建物ユニット１５の構成は周知であるため、ここでは簡単に説明する。建物ユニット１５は、その四隅に配設される４本の柱と、各柱の上端部及び下端部をそれぞれ連結する各４本の天井大梁及び床大梁とを備え、それら柱、天井大梁及び床大梁により直方体状に形成されている。柱は四角筒状の角形鋼よりなり、天井大梁及び床大梁は断面コ字状の溝形鋼よりなる。
【００２４】
建物１０の外周部分は外壁部２０となっている。外壁部２０は、建物本体１３に設けられる本体外壁部２０ａと、屋根部１４に設けられる屋根外壁部２０ｂとを有している。
【００２５】
図２に示すように、本体外壁部２０ａは、建物ユニット１５の天井大梁及び床大梁に固定された複数の外壁パネル２１により構成されている。外壁パネル２１は、壁材２２と下地フレーム２３とにより構成されている。また、屋根外壁部２０ｂは、例えば屋根部１４の妻面に設けられ、その妻面に応じた形状を有する複数の外壁パネル２４により構成されている。外壁パネル２４は、壁材２５と下地フレーム２６とにより構成されている。壁材２２，２５は、窯業系サイディングボード等の外壁面材よりなり、その表面により屋外面（外壁面）が形成される。下地フレーム２３，２６は、例えば溝形鋼等により矩形に形成された矩形フレームよりなる。なお、本体外壁部２０ａの外壁パネル２１は、基本的にユニット工場にて建物ユニット１５に取り付けられ、屋根外壁部２０ｂの外壁パネル２４は現場施工される。
【００２６】
本体外壁部２０ａにおいては、複数の外壁パネル２１が横並びで配置されており、隣り合う外壁パネル２１の間には縦目地２７が形成されている。また、屋根外壁部２０ｂにおいては、複数の外壁パネル２４が横並びで配置されており、隣り合う外壁パネル２４の間には縦目地２８が形成されている。
【００２７】
次に、屋根外壁部２０ｂを例にして、屋根外壁部２０ｂの止水構造について説明する。図３（ａ）は、屋根外壁部２０ｂの下端部における止水構造を示す正面図であり、図３（ｂ）は、目地部分の縦断面図である。図３（ａ）に示す部分は、図２のＡ部に相当する。図４は、止水構造を構成する各部材を分解して示す分解斜視図である。また、図５は、外壁パネル２４の詳細な構成を示す分解斜視図である。
【００２８】
なお、図示は略しているが、建物１０の外壁部２０において、一階部分１１と二階部分１２との境界部分や、本体外壁部２０ａと屋根外壁部２０ｂとの境界部分にはその境界見切り部を隠す化粧胴差しが取り付けられるようになっており、これらの境界部分における上下方向の各壁材２２，２５の間の離間部分は化粧胴差しにより隠されるようになっている。
【００２９】
図５に示すように、外壁パネル２４において、下地フレーム２６の縦フレーム部２６ａ及び横フレーム部２６ｂには、それぞれ例えばＥＰＤＭ等のゴム材（スポンジ材）よりなる長尺状の止水部材３１，３２が貼り付けられている。止水部材３１，３２のうち止水部材３１は、縦フレーム部２６ａの屋外側及び側方に断面Ｌ形に貼り付けられ、壁材２５よりも僅かに下方に突き出るようにして設けられている（図のＢ部）。より詳細に言えば、縦フレーム部２６ａの下端部は、壁材２５の下端よりも下方に突き出ており、その突き出し部分まで延びるようにして止水部材３１が貼り付けられている。
【００３０】
また、横フレーム部２６ｂには、上部が壁材２５の裏面側に固定されるとともに、その下部が壁材２５の下方に垂れ下がる状態で壁下シート３３が設けられている。本実施形態では、壁材２５及び下地フレーム２６（詳しくは横フレーム部２６ｂ）の間に挟まれた状態で、壁下シート３３が取り付けられている。壁下シート３３は、クロロプレンゴム（ＣＲゴム）等の耐水性を有する材料により形成された防水シートであり、外壁パネル２４の下端部に沿って延びている。止水部材３１は、壁下シート３３の表面側に設けられており、これら各部材３１，３３が重なり合う部分では、止水部材３１が表側（屋外側）、壁下シート３３が裏側（屋内側）となっている。
【００３１】
屋根外壁部２０ｂにおいては、隣り合う外壁パネル２４が、縦フレーム部２６ａどうしの連結により結合される構成となっており、その結合状態では、隣り合う各縦フレーム部２６ａの間に止水部材３１が押し潰された状態（圧縮された状態）で配置されるようになっている。
【００３２】
図３に示すように、壁下シート３３は、その下端部が二階部分１２における外壁パネル２１の壁材２２の表側に重ねられている。この場合、壁下シート３３は、壁材２５の裏面側と壁材２２の裏面側との間で上下に架け渡された状態となっている。これにより、それら壁材２２，２５の間が壁下シート３３により閉塞され、壁材２２，２５の間を通じて雨水等の水が屋内側に浸入することが防止されている。
【００３３】
図３及び図４に示すように、屋根外壁部２０ｂにおいては、縦目地２８を通じて屋内側に水が浸入するのを防止すべく止水処理が施されており、その止水処理には壁材２５の下端より上側の止水処理と、壁材２５の下端より下側の止水処理とが含まれている。ここで、壁材２５の下端より上側の止水処理としては、上述したように互いに連結される縦フレーム部２６ａの間に止水部材３１が設けられるとともに、その手前側（すなわち屋外側）に定形シールとしてのガスケット３５が設けられている。ガスケット３５は、ＥＰＤＭ等の弾性材料により長尺に形成されている。ガスケット３５は、長手方向に延びる中空部を有しており、その中空部は上端及び下端にて各々開口している。縦目地２８において、ガスケット３５が一次シールに相当し、止水部材３１が二次シールに相当する。
【００３４】
また、壁材２５の下端より下側の止水処理としては、各壁材２５に設けられた壁下シート３３の繋ぎ合わせ部分の止水処理が施されている。その概略として、隣り合う壁下シート３３の繋ぎ合わせ部分には、壁下シート３３の裏面側（屋内側）に裏当て部材３６が貼り付けられるとともに、壁下シート３３の表面側（屋外側）に止水シートとしての防水テープ３７が貼り付けられている。つまり、本実施形態の止水構造では、縦目地２８の下方において隣り合う壁材２５の各壁下シート３３に跨がるようにして屋外側から貼り付けられる防水テープ３７と、壁下シート３３を挟んで防水テープ３７の反対側に貼り付けられる裏当て部材３６とを備えている。
【００３５】
図６は、裏当て部材３６の構成を示す斜視図であり、（ａ）は裏当て部材３６を接着面の逆側から見た図、（ｂ）は裏当て部材３６を接着面の側から見た図である。裏当て部材３６は、伸縮変形可能なシート部としての粘着テープ３８と、その粘着テープ３８に対して部分的に貼り付けられ、粘着テープ３８を所定形状に保持する保持プレート３９とを有している。
【００３６】
粘着テープ３８は、矩形状をなし、例えば伸縮変形可能なＥＰＤＭ系ゴムシートからなる基材に、ブチルゴム系粘着剤を積層して構成されている。粘着テープ３８において、保持プレート３９の逆側は全体が接着面となっている。また、保持プレート３９は、全体として横幅が粘着テープ３８と同じ寸法、縦幅が粘着テープ３８よりも小さい寸法であり、一辺に凹状に切り欠かれた凹状部３９ａを有している。この場合、図６（ａ）に示すように、裏当て部材３６の片面には、保持プレート３９が貼り付けられた部位と、保持プレート３９が貼り付けられていない部位とが設けられることとなり、保持プレート３９が貼り付けられていない部位において、凹状部３９ａの内側となる部位が第１余剰部Ｙ１、保持プレート３９の上辺部（壁下シート３３に対する貼り付け状態での上辺部）に沿う部位が第２余剰部Ｙ２となっている。
【００３７】
次に、屋根外壁部２０ｂの止水構造を、製造手順と共により具体的に説明する。図７は、止水構造の製造手順を示す説明図である。
【００３８】
図７（ａ）では、屋根部１４に複数の外壁パネル２４が設置された状態において、壁下シート３３が屋外側にめくり上げられるとともに、壁下シート３３の裏側（屋内側）に裏当て部材３６が取り付けられる（「裏当て処理」に相当）。この場合、図８に示すように、裏当て部材３６の粘着テープ３８を屋外側（図の手前側）とし、かつ裏当て部材３６における凹状部３９ａの位置が、隣り合う外壁パネル２４の境界線に合うようにして、裏当て部材３６が壁下シート３３に取り付けられる。このとき、裏当て部材３６は、壁材２５の下側の止水部材３１を下方から押し上げるようにして取り付けられる。
【００３９】
図７（ｂ）には、裏当て部材３６の取り付け完了状態が示されている。この場合、上記のとおり凹状部３９ａの位置が外壁パネル２４間の境界線に合わせられており、かつ裏当て部材３６が止水部材３１を下方から押し上げて取り付けられているため、凹状部３９ａの内側の粘着テープ３８（すなわち、余剰部Ｙ１の粘着テープ３８）が止水部材３１の下端に当たって屋外側に膨らみ、これによりダマ状のシート圧縮部Ｚが形成される。なおこのとき、裏当て部材３６が押し当てられる側の止水部材３１にもダマ状の圧縮部が形成される。
【００４０】
図７（ｂ）の状態では、図９に示すように、裏当て部材３６の粘着テープ３８が止水部材３１の下端に押し当てられることで、壁下シート３３間において止水部材３１の下側にシート圧縮部Ｚが形成されている。図１０は、壁下シート３３への取り付け後における裏当て部材３６の状態を示す斜視図である。粘着テープ３８は、凹状部３９ａの中に入り込むようにして収縮変形しており、その収縮変形によりダマ状の塊が形成されている。
【００４１】
なお、粘着テープ３８の収縮変形により形成されたダマ状の塊を、指やヘラ等の工具で押圧するようにしてもよい。この場合、ダマ状の塊が押し潰され、より一層適正にピンホール等の微小隙間を無くすことができる。
【００４２】
ここで、裏当て部材３６は、第１余剰部Ｙ１に加え、保持プレート３９の上辺部に沿う部位に第２余剰部Ｙ２を有しているため、裏当て部材３６の取り付け完了状態では、第２余剰部Ｙ２に相当する位置においてもシート圧縮部が形成される。これにより、止水部材３１の下端に沿う部分においても圧縮状態で粘着テープ３８を配置でき、止水部材３１の下端に沿う水の伝達ラインが遮断される。
【００４３】
そして、壁下シート３３に対して、シート圧縮部Ｚを屋外側から覆うようにして防水テープ３７が貼り付けられる（「シート貼付処理」に相当）。その後、縦目地２８にガスケット３５が嵌め込まれる。なお、ガスケット３５の嵌め込み作業は、裏当て部材３６と防水テープ３７との取り付け前に行われてもよい。
【００４４】
以上により、図３に示すように、壁材２５の下端より上側の止水処理と、壁材２５の下端より下側の止水処理とが完了する。
【００４５】
以上、詳述した本実施形態の構成によれば、以下の優れた効果が得られる。
【００４６】
上記の止水構造では、壁下シート３３を挟んで一方の側（屋外側）には、隣り合う壁材２５の各壁下シート３３に跨がるようにして防水テープ３７が貼り付けられ、他方の側（屋内側）には、裏当て部材３６が貼り付けられている。また特に、裏当て部材３６は、伸縮変形可能な粘着テープ３８と、その粘着テープ３８に対して部分的に貼り付けられ、粘着テープ３８を所定形状に保持する保持プレート３９とを有しており、粘着テープ３８が止水部材３１の下端に押し当てられることで、粘着テープ３８の余剰部Ｙ１にシート圧縮部Ｚが形成される構成となっている。かかる場合、隣り合う各外壁パネル２４においては壁下シート３３の間の隙間が生じ、その隙間により止水性能の低下が懸念されるが、伸縮変形可能な粘着テープ３８を止水部材３１の下端に押し当ててシート圧縮部Ｚを形成することにより、当該隙間における止水性能を高めることができる。つまり、シート圧縮部Ｚによりピンホール等の隙間を好適に埋めることができる。その結果、簡易な構成を用いつつも止水を適切に行わせることができる。
【００４７】
保持プレート３９に凹状部３９ａを設け、その凹状部３９ａの内側を含む範囲を粘着テープ３８の第１余剰部Ｙ１とするとともに、裏当て部材３６を、凹状部３９ａの位置が隣り合う外壁パネル２４の境界線に合うようにして取り付ける構成としたため、凹状部３９ａを設けずに単に下から上に押し当てる場合に比べて、壁下シート３３間の隙間に対して粘着テープ３８の余剰部をより一層集約的に配置させることができる。つまり、壁下シート３３間の隙間（ピンホール等）に対して下方及び左右から粘着テープ３８が押し付けられることで、高い密集性を実現できる。これにより、止水性能の一層の向上を図ることができる。
【００４８】
裏当て部材３６を、伸縮変形可能なシート部である粘着テープ３８に対して、保持プレート３９を貼り付けた構成としたため、壁下シート３３の裏側（屋内側）に裏当て部材３６を押し込むうえで、作業性の良い構成を実現できる。
【００４９】
粘着テープ３８の余剰部を、凹状部３９ａの内側の部分である第１余剰部Ｙ１と、保持プレート３９の上端よりも上方の部分である第２余剰部Ｙ２として設け、各余剰部Ｙ１，Ｙ２において粘着テープ３８を圧縮状態としたため、止水部材３１の下端に沿う方向においても圧縮状態で粘着テープ３８を配置できる。これにより、止水部材３１の下端に沿う水の伝達ラインを好適に遮断できる。
【００５０】
止水部材３１が、縦フレーム部２６ａの屋外側において壁材２５よりも下方に延びている構成において、壁材２５よりも下方位置に、止水部材３１の下端に対する粘着テープ３８の押し当てによりシート圧縮部Ｚを形成する構成にしたため、壁下シート３３間の隙間を壁材２５よりも下方位置に限定させた上で、その隙間をシート圧縮部Ｚにより埋めることができる。これにより、止水性能の向上を図ることができる。
【００５１】
建物施工現場での建物製造時において、裏当て部材３６を貼り付ける裏当て処理と、防水テープ３７を貼り付けるシート貼付処理とを順次実施することにより、上記構成の止水構造を構築するようにした。この場合、縦目地２８における適正なる止水構造の構築を実現できる。
【００５２】
本実施形態の上記止水構造は、乾式工法を用いたものであるため、施工作業性とメンテナンス性に優れていると言える。
【００５３】
本発明は上記実施形態に限らず、例えば次のように実施されてもよい。
【００５４】
・裏当て部材３６の構成を以下のように変更してもよい。例えば図１１（ａ）では、裏当て部材３６の片面において、凹状部３９ａの内側となる部位のみを、保持プレート３９が貼り付けられていない部位、すなわち余剰部Ｙ１としている。また、図１１（ｂ）では、保持プレート３９は、凹状部３９ａを有していない矩形状をなし、上方方向の寸法が粘着テープ３８よりも小さいものとなっている。この場合、裏当て部材３６の片面において上側部分を、保持プレート３９が貼り付けられていない部位、すなわち余剰部Ｙ１としている。
【００５５】
図１１（ａ）、（ｂ）のいずれの構成においても、粘着テープ３８の余剰部Ｙ１によりシート圧縮部Ｚを形成することができ、やはり壁下シート３３間の隙間における止水性能を高めることができる。
【００５６】
・上記実施形態では、止水部材３１が、縦フレーム部２６ａの屋外側において壁材２５よりも下方に延びている構成としたが、これを変更し、壁材２５の下端位置に合わせて、止水部材３１が設けられる構成であってもよい。この場合、止水部材３１の下端と壁材２５の下端とが略一致している。本構成においても、粘着テープ３８が止水部材３１の下端に押し当てられることで、粘着テープ３８の余剰部Ｙ１にシート圧縮部Ｚが形成され、やはり壁下シート３３間の隙間における止水性能を高めることができる。
【００５７】
・本発明の止水処理方法は、建物の新築時だけでなく、建物のリフォーム時、すなわち建物外壁部の修繕時にも適用できる。
【００５８】
・本発明は、本体外壁部２０ａと屋根外壁部２０ｂとの境界部付近の縦目地２８に適用されるだけでなく、他の箇所への適用も可能である。例えば、本体外壁部２０ａにおいて上階部分と下階部分との境界部付近の縦目地２７に、本発明の止水構造が適用されてもよい。又は、バルコニーを有する建物において、バルコニー床部付近の縦目地に、本発明の止水構造が適用されてもよい。
【００５９】
・本発明は、ユニット式建物にも適用可能であり、例えば鉄骨軸組工法の建物や、在来木造工法の建物等にも適用可能である。
【符号の説明】
【００６０】
１０…建物、２０…外壁部、２４…外壁パネル、２５…壁材、２６…下地フレーム、２８…縦目地、３１…止水部材、３３…壁下シート、３６…裏当て部材、３７…防水テープ（止水シート）、３８…粘着テープ（シート部）、３９…保持プレート（プレート部）、Ｙ１…第１保持部、Ｙ２…第２保持部、Ｚ…シート圧縮部。
【図１】
2018003400.tif 000003
【図２】
2018003400.tif 000004
【図３】
2018003400.tif 000005
【図４】
2018003400.tif 000006
【図５】
2018003400.tif 000007
【図６】
2018003400.tif 000008
【図７】
2018003400.tif 000009
【図８】
2018003400.tif 000010
【図９】
2018003400.tif 000011
【図１０】
2018003400.tif 000012
【図１１】
2018003400.tif 000013